(57)【要約】  コネクタシステムは、第１の伝送線を含む第１のコネクタと、第２の伝送線を含む第２のコネクタとを備え、前記第２のコネクタは、検証に係る情報を作成して前記第１のコネクタへ送信する情報送信処理を行う処理部を含み、前記第１のコネクタは、前記第１のコネクタおよび前記第２のコネクタが接続された状態において、前記第１の伝送線および前記第２の伝送線を電気的に接続するか否かを切り替えるスイッチと、前記第２のコネクタから受信した前記情報に基づいて前記第２のコネクタを検証する検証処理を行う検証部と、前記検証処理の結果に基づいて前記スイッチを制御する制御部とを含む。
2019187349.tif 000002
【特許請求の範囲】
【請求項１】
第１の伝送線を含む第１のコネクタと、
第２の伝送線を含む第２のコネクタとを備え、
前記第２のコネクタは、検証に係る情報を作成して前記第１のコネクタへ送信する情報送信処理を行う処理部を含み、
前記第１のコネクタは、
前記第１のコネクタおよび前記第２のコネクタが接続された状態において、前記第１の伝送線および前記第２の伝送線を電気的に接続するか否かを切り替えるスイッチと、
前記第２のコネクタから受信した前記情報に基づいて前記第２のコネクタを検証する検証処理を行う検証部と、
前記検証処理の結果に基づいて前記スイッチを制御する制御部とを含む、コネクタシステム。
【請求項２】
前記第１のコネクタおよび前記第２のコネクタの各々は、前記第１のコネクタおよび前記第２のコネクタが互いに接続された状態において前記スイッチを介さずに互いに電気的に接続される他の伝送線を含む、請求項１に記載のコネクタシステム。
【請求項３】
前記第１のコネクタの動作に関する電力は、前記第２のコネクタから供給される、請求項１または請求項２に記載のコネクタシステム。
【請求項４】
前記検証部は、前記第１のコネクタおよび前記第２のコネクタが接続されると、前記検証処理を開始する、請求項１から請求項３のいずれか１項に記載のコネクタシステム。
【請求項５】
前記処理部は、前記第１のコネクタからの前記情報の要求を受けて、前記情報送信処理を開始する、請求項１から請求項４のいずれか１項に記載のコネクタシステム。
【請求項６】
前記検証部は、定期的または不定期に前記検証処理を行い、
前記制御部は、前記検証処理の結果に基づいて前記スイッチをオンした後、新たな前記検証処理の結果に基づいて、前記スイッチをオフするか否かを判断する、請求項１から請求項５のいずれか１項に記載のコネクタシステム。
【請求項７】
前記スイッチは、前記第１のコネクタおよび前記第２のコネクタが接続されていない状態においてオフ状態であり、
前記検証部は、所定時間以上、前記情報を受信できない場合、検証失敗を前記制御部へ通知し、
前記制御部は、検証失敗の通知を前記検証部から受けた場合、前記スイッチのオフ状態を維持する、請求項１から請求項６のいずれか１項に記載のコネクタシステム。
【請求項８】
前記検証部は、前記検証処理において、検証に係る前記情報を有線により前記処理部から受信する、請求項１から請求項７のいずれか１項に記載のコネクタシステム。
【請求項９】
前記第１のコネクタおよび前記第２のコネクタは、車両に搭載される、請求項１から請求項８のいずれか１項に記載のコネクタシステム。
【請求項１０】
第１の伝送線を含むコネクタであって、
自己のコネクタ、および第２の伝送線を含む他のコネクタが接続された状態において、前記第１の伝送線および前記第２の伝送線を電気的に接続するか否かを切り替えるスイッチと、
自己のコネクタの接続相手を検証する検証処理を行う検証部と、
前記検証処理の結果に基づいて、前記スイッチを制御する制御部とを含む、コネクタ。
【請求項１１】
前記コネクタは車両に搭載される、請求項１０に記載のコネクタ。
【請求項１２】
第１の伝送線を含む相手コネクタに接続可能なコネクタであって、
検証に係る情報を作成して前記相手コネクタへ送信する処理部と、
第２の伝送線とを含み、
前記相手コネクタは、自己の前記相手コネクタおよび他のコネクタが接続された状態において、前記第１の伝送線および前記第２の伝送線を電気的に接続するか否かを切り替えるスイッチと、
前記情報に基づいて前記他のコネクタを検証する検証処理を行う検証部と、
前記検証処理の結果に基づいて前記スイッチを制御する制御部とを含む、コネクタ。
【請求項１３】
第１の伝送線を含む第１のコネクタと、第２の伝送線を含む第２のコネクタとを備えるコネクタシステムにおける接続方法であって、
前記第１のコネクタは、さらに、前記第１のコネクタおよび前記第２のコネクタが接続された状態において、前記第１の伝送線および前記第２の伝送線を電気的に接続するか否かを切り替えるスイッチを含み、
前記第２のコネクタが、検証に係る情報を作成して前記第１のコネクタへ送信する情報送信処理を行うステップと、
前記第１のコネクタが、前記第２のコネクタから受信した前記情報に基づいて前記第２のコネクタを検証する検証処理を行うステップと、
前記第１のコネクタが、前記検証処理の結果に基づいて前記スイッチを制御するステップとを含む、接続方法。
【発明の詳細な説明】
【技術分野】
【０００１】
本発明は、コネクタシステム、コネクタおよび接続方法に関する。
この出願は、２０１８年３月２７日に出願された日本出願特願２０１８−６０２５９号を基礎とする優先権を主張し、その開示のすべてをここに取り込む。
【背景技術】
【０００２】
コネクタに関する技術として、たとえば、特開２０１７−１７０３４号公報（特許文献１）には、以下のような双配向電子コネクタが開示されている。すなわち、双配向電子コネクタは、第１及び第２の主要対向面を有するコネクタタブと、そのコネクタタブによって担持される複数の電気接点とを有する。複数の接点は、第１主要面に形成される第１の外部接点のセット、及び第２主要面に形成される第２の外部接点のセットを含む。第１の複数の接点内の、各個々の接点は、タブ又は本体内部で、第２の複数の接点内の対応する接点に電気的に接続される。一部の実施形態では、互いに正対する、 第１及び第２の複数の接点内の接点が、一体に結合される。一部の他の実施形態では、互いに対角線の関係にある、第１及び第２の複数の接点内の接点が、一体に結合される。
【先行技術文献】
【特許文献】
【０００３】
【特許文献１】特開２０１７−１７０３４号公報
【特許文献２】国際公開第２０１２／０２６３５３号
【発明の概要】
【０００４】
（１）本開示のコネクタシステムは、第１の伝送線を含む第１のコネクタと、第２の伝送線を含む第２のコネクタとを備え、前記第２のコネクタは、検証に係る情報を作成して前記第１のコネクタへ送信する情報送信処理を行う処理部を含み、前記第１のコネクタは、前記第１のコネクタおよび前記第２のコネクタが接続された状態において、前記第１の伝送線および前記第２の伝送線を電気的に接続するか否かを切り替えるスイッチと、前記第２のコネクタから受信した前記情報に基づいて前記第２のコネクタを検証する検証処理を行う検証部と、前記検証処理の結果に基づいて前記スイッチを制御する制御部とを含む。
【０００５】
（１０）本開示のコネクタは、第１の伝送線を含むコネクタであって、自己のコネクタ、および第２の伝送線を含む他のコネクタが接続された状態において、前記第１の伝送線および前記第２の伝送線を電気的に接続するか否かを切り替えるスイッチと、自己のコネクタの接続相手を検証する検証処理を行う検証部と、前記検証処理の結果に基づいて、前記スイッチを制御する制御部とを含む。
【０００６】
（１２）本開示のコネクタは、第１の伝送線を含む相手コネクタに接続可能なコネクタであって、検証に係る情報を作成して前記相手コネクタへ送信する処理部と、第２の伝送線とを含み、前記相手コネクタは、自己の前記相手コネクタおよび他のコネクタが接続された状態において、前記第１の伝送線および前記第２の伝送線を電気的に接続するか否かを切り替えるスイッチと、前記情報に基づいて前記他のコネクタを検証する検証処理を行う検証部と、前記検証処理の結果に基づいて前記スイッチを制御する制御部とを含む。
【０００７】
（１３）本開示の接続方法は、第１の伝送線を含む第１のコネクタと、第２の伝送線を含む第２のコネクタとを備えるコネクタシステムにおける接続方法であって、前記第１のコネクタは、さらに、前記第１のコネクタおよび前記第２のコネクタが接続された状態において、前記第１の伝送線および前記第２の伝送線を電気的に接続するか否かを切り替えるスイッチを含み、前記第２のコネクタが、検証に係る情報を作成して前記第１のコネクタへ送信する情報送信処理を行うステップと、前記第１のコネクタが、前記第２のコネクタから受信した前記情報に基づいて前記第２のコネクタを検証する検証処理を行うステップと、前記第１のコネクタが、前記検証処理の結果に基づいて前記スイッチを制御するステップとを含む。
【０００８】
本開示の一態様は、このような特徴的な処理部を備えるコネクタシステムとして実現され得るだけでなく、かかるステップをコンピュータに実行させるためのプログラムとして実現され得る。また、本開示の一態様は、コネクタシステムの一部又は全部を実現する半導体集積回路として実現され得る。
【０００９】
また、本開示の一態様は、このような特徴的な処理部を備えるコネクタとして実現され得るだけでなく、かかる特徴的な処理をステップとする接続方法として実現され得たり、かかるステップをコンピュータに実行させるためのプログラムとして実現され得る。また、本開示の一態様は、コネクタの一部又は全部を実現する半導体集積回路として実現され得る。
【図面の簡単な説明】
【００１０】
【図１】図１は、本発明の第１の実施の形態に係るコネクタシステムの適用例を示す図である。
【図２】図２は、本発明の第１の実施の形態に係るコネクタシステムの構成を示す図である。
【図３】図３は、本発明の第１の実施の形態に係るコネクタシステムの動作手順を定めたシーケンス図である。
【図４】図４は、本発明の第２の実施の形態に係るコネクタシステムの適用例を示す図である。
【図５】図５は、本発明の第２の実施の形態に係るコネクタシステムの構成を示す図である。
【図６】図６は、本発明の第２の実施の形態に係るコネクタシステムの動作手順を定めたシーケンス図である。
【図７】図７は、本発明の第３の実施の形態に係るコネクタシステムの適用例を示す図である。
【図８】図８は、本発明の第３の実施の形態に係るコネクタシステムの構成を示す図である。
【図９】図９は、本発明の第４の実施の形態に係るコネクタシステムの適用例を示す図である。
【図１０】図１０は、本発明の第４の実施の形態に係るコネクタシステムの構成を示す図である。
【図１１】図１１は、本発明の第４の実施の形態に係るコネクタシステムの動作手順を定めたシーケンス図である。
【発明を実施するための形態】
【００１１】
［本開示が解決しようとする課題］
たとえば特許文献１に記載のコネクタを介して機器同士を接続した場合、機器間で互いに通信を行うことが可能である。その一方で、機器間の通信のセキュリティを十分に確保することが困難である。
【００１２】
本開示は、上述の課題を解決するためになされたもので、その目的は、機器同士の電気的な接続をより適切に制御することができるコネクタシステム、コネクタおよび接続方法を提供することである。
【００１３】
［本開示の効果］
本開示によれば、機器同士の電気的な接続をより適切に制御することができる。
【００１４】
［本願発明の実施形態の説明］
最初に、本発明の実施形態の内容を列記して説明する。
【００１５】
（１）本発明の実施の形態に係るコネクタシステムは、第１の伝送線を含む第１のコネクタと、第２の伝送線を含む第２のコネクタとを備え、前記第２のコネクタは、検証に係る情報を作成して前記第１のコネクタへ送信する情報送信処理を行う処理部を含み、前記第１のコネクタは、前記第１のコネクタおよび前記第２のコネクタが接続された状態において、前記第１の伝送線および前記第２の伝送線を電気的に接続するか否かを切り替えるスイッチと、前記第２のコネクタから受信した前記情報に基づいて前記第２のコネクタを検証する検証処理を行う検証部と、前記検証処理の結果に基づいて前記スイッチを制御する制御部とを含む。
【００１６】
このように、第１のコネクタによる検証処理の結果に基づいて第１の伝送線および第２の伝送線の電気的接続を切り替える構成により、第１の伝送線および第２の伝送線において通信信号の伝送が行われる場合、意図しない機器との通信を防ぎ、セキュリティを確保することができる。また、第１の伝送線および第２の伝送線において電力伝送が行われる場合、意図しない機器への電力伝送が行われることを防ぐことができる。したがって、機器同士の電気的な接続をより適切に制御することができる。
【００１７】
（２）好ましくは、前記第１のコネクタおよび前記第２のコネクタの各々は、前記第１のコネクタおよび前記第２のコネクタが互いに接続された状態において前記スイッチを介さずに互いに電気的に接続される他の伝送線を含む。
【００１８】
このような構成により、セキュリティ確保のための伝送線と、セキュリティ確保が不要な伝送線とを設けることができるため、より多様な機器間の接続形態を提供することができる。
【００１９】
（３）好ましくは、前記第１のコネクタの動作に関する電力は、前記第２のコネクタから供給される。
【００２０】
このような構成により、第１のコネクタが電源を含まない構成であっても、第２のコネクタからの電力供給を受けて検証処理などの動作を行うことができる。
【００２１】
（４）好ましくは、前記検証部は、前記第１のコネクタおよび前記第２のコネクタが接続されると、前記検証処理を開始する。
【００２２】
このように、第１のコネクタが主体的に検証処理を開始する構成により、第２のコネクタによる情報送信処理をより早期に行わせることができる。
【００２３】
（５）好ましくは、前記処理部は、前記第１のコネクタからの前記情報の要求を受けて、前記情報送信処理を開始する。
【００２４】
このような構成により、たとえば第２のコネクタにおいて第１のコネクタに対する接続を検出しない場合であっても、第２のコネクタから検証に係る情報を送信させて検証処理を行うことができる。
【００２５】
（６）好ましくは、前記検証部は、定期的または不定期に前記検証処理を行い、前記制御部は、前記検証処理の結果に基づいて前記スイッチをオンした後、新たな前記検証処理の結果に基づいて、前記スイッチをオフするか否かを判断する。
【００２６】
このような構成により、たとえば、第２のコネクタの検証処理が成功した後、新たな検証処理により第１のコネクタから第２のコネクタが取り外されたことを検出することができるため、接続状態の変化に応じたスイッチの制御を行うことができる。
【００２７】
（７）好ましくは、前記スイッチは、前記第１のコネクタおよび前記第２のコネクタが接続されていない状態においてオフ状態であり、前記検証部は、所定時間以上、前記情報を受信できない場合、検証失敗を前記制御部へ通知し、前記制御部は、検証失敗の通知を前記検証部から受けた場合、前記スイッチのオフ状態を維持する。
【００２８】
このような構成により、たとえば、第１のコネクタと接続したタイミングから所定時間以上、検証に係る情報の送信を行わない機器と、第１のコネクタとの通信を防ぐことができるため、より確実にセキュリティを確保することができる。
【００２９】
また、たとえば、前回の検証に係る情報の送信タイミングから所定時間以上、新たな検証に係る情報の送信を行わない機器と、第１のコネクタとの通信を防ぐことができるため、より確実にセキュリティを確保することができる。
【００３０】
（８）好ましくは、前記検証部は、前記検証処理において、検証に係る前記情報を有線により前記処理部から受信する。
【００３１】
このような構成により、近接したエリアに複数のコネクタが存在しても、意図しない接続、および正しい通信が阻害されることを防ぐことができる。また、近接したエリアにおいて、第１のコネクタおよび第２のコネクタ間における接続方式と同様の方式を採用している多数のコネクタが存在しても、適切な接続を行うことができる。
【００３２】
また、第１のコネクタおよび第２のコネクタがノイズの影響を受けやすい環境に設けられた場合であっても、ノイズの影響を低減させることができる。
【００３３】
（９）好ましくは、前記第１のコネクタおよび前記第２のコネクタは、車両に搭載される。
【００３４】
このような構成により、近接したエリアに複数のコネクタが存在しても、正常に動作することができる。また、機器が多く、ノイズの大きい環境において、ノイズの影響を低減させることができる。
【００３５】
（１０）本発明の実施の形態に係るコネクタは、第１の伝送線を含むコネクタであって、自己のコネクタ、および第２の伝送線を含む他のコネクタが接続された状態において、前記第１の伝送線および前記第２の伝送線を電気的に接続するか否かを切り替えるスイッチと、自己のコネクタの接続相手を検証する検証処理を行う検証部と、前記検証処理の結果に基づいて、前記スイッチを制御する制御部とを含む。
【００３６】
このように、第１のコネクタによる検証処理の結果に基づいて第１の伝送線および第２の伝送線の電気的接続を切り替える構成により、第１の伝送線および第２の伝送線において通信信号の伝送が行われる場合、意図しない機器との通信を防ぎ、セキュリティを確保することができる。また、第１の伝送線および第２の伝送線において電力伝送が行われる場合、意図しない機器への電力伝送が行われることを防ぐことができる。したがって、機器同士の電気的な接続をより適切に制御することができる。
【００３７】
（１１）好ましくは、前記コネクタは車両に搭載される。
【００３８】
このような構成により、近接したエリアに複数のコネクタが存在しても、意図しない接続、および正しい通信が阻害されることを防ぐことができる。また、近接したエリアにおいて、第１のコネクタおよび第２のコネクタ間における接続方式と同様の方式を採用している多数のコネクタが存在しても、適切な接続を行うことができる。
【００３９】
また、機器が多く、ノイズの大きい環境において、機器同士の電気的な接続をより適切に制御することができる。
【００４０】
（１２）本発明の実施の形態に係るコネクタは、第１の伝送線を含む相手コネクタに接続可能なコネクタであって、検証に係る情報を作成して前記相手コネクタへ送信する処理部と、第２の伝送線とを含み、前記相手コネクタは、自己の前記相手コネクタおよび他のコネクタが接続された状態において、前記第１の伝送線および前記第２の伝送線を電気的に接続するか否かを切り替えるスイッチと、前記情報に基づいて前記他のコネクタを検証する検証処理を行う検証部と、前記検証処理の結果に基づいて前記スイッチを制御する制御部とを含む。
【００４１】
このような構成により、相手コネクタにおいて、他のコネクタから送信された検証に係る情報を用いて他のコネクタの検証処理を行い、検証処理の結果に基づいて第１の伝送線および第２の伝送線の電気的接続を切り替えることができる。これにより、第１の伝送線および第２の伝送線において通信信号の伝送が行われる場合、意図しない機器との通信を防ぎ、セキュリティを確保することができる。また、第１の伝送線および第２の伝送線において電力伝送が行われる場合、意図しない機器への電力伝送が行われることを防ぐことができる。したがって、機器同士の電気的な接続をより適切に制御することができる。
【００４２】
（１３）本発明の実施の形態に係る接続方法は、第１の伝送線を含む第１のコネクタと、第２の伝送線を含む第２のコネクタとを備えるコネクタシステムにおける接続方法であって、前記第１のコネクタは、さらに、前記第１のコネクタおよび前記第２のコネクタが接続された状態において、前記第１の伝送線および前記第２の伝送線を電気的に接続するか否かを切り替えるスイッチを含み、前記第２のコネクタが、検証に係る情報を作成して前記第１のコネクタへ送信する情報送信処理を行うステップと、前記第１のコネクタが、前記第２のコネクタから受信した前記情報に基づいて前記第２のコネクタを検証する検証処理を行うステップと、前記第１のコネクタが、前記検証処理の結果に基づいて前記スイッチを制御するステップとを含む。
【００４３】
このように、第１のコネクタによる検証処理の結果に基づいて第１の伝送線および第２の伝送線の電気的接続を切り替える方法により、第１の伝送線および第２の伝送線において通信信号の伝送が行われる場合、意図しない機器との通信を防ぎ、セキュリティを確保することができる。また、第１の伝送線および第２の伝送線において電力伝送が行われる場合、意図しない機器への電力伝送が行われることを防ぐことができる。したがって、機器同士の電気的な接続をより適切に制御することができる。
【００４４】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００４５】
＜第１の実施の形態＞
［構成および基本動作］
（コネクタシステム）
図１は、本発明の第１の実施の形態に係るコネクタシステムの適用例を示す図である。
【００４６】
図１を参照して、コネクタシステム２０１は、第１のコネクタ（相手コネクタ）１０１と、第２のコネクタ１０２とを備える。第１のコネクタ１０１および第２のコネクタ１０２は、たとえば車両に搭載される。
【００４７】
より詳細には、第１のコネクタ１０１は、たとえば、車両に設けられたワイヤハーネス１に接続されている。第２のコネクタ１０２は、たとえば、センサまたはアクチュエータなどの車載装置２に接続されている。
【００４８】
車載装置２は、ワイヤハーネス１と電気的に接続された状態において、センサ情報または動作情報などのＥＣＵ（Ｅｌｅｃｔｒｏｎｉｃ  Ｃｏｎｔｒｏｌ  Ｕｎｉｔ）情報を、第２のコネクタ１０２および第１のコネクタ１０１を介してワイヤハーネス１へ送信する。また、車載装置２は、ワイヤハーネス１と電気的に接続された状態において、車両情報または動作指示情報などのＥＣＵ情報をワイヤハーネス１から受信してもよい。
【００４９】
なお、第１のコネクタ１０１および第２のコネクタ１０２は、共通のグランド（ＧＮＤ）に接続されることが好ましい。
【００５０】
図２は、本発明の第１の実施の形態に係るコネクタシステムの構成を示す図である。
【００５１】
図２を参照して、たとえば、第１のコネクタ１０１はレセプタクルであり、第２のコネクタ１０２はプラグである。
【００５２】
第１のコネクタ１０１は、検証部１１と、制御部１２と、スイッチ１３と、電力線ＰＬ１１と、通信線ＴＬ１２と、通信線（第１の伝送線）ＴＬ１３と、通信線ＴＬ１４とを含む。検証部１１、制御部１２およびスイッチ１３は、たとえば基板ＢＰ１に実装されている。
【００５３】
第２のコネクタ１０２は、処理部１４と、電力線ＰＬ２１と、通信線ＴＬ２２と、通信線（第２の伝送線）ＴＬ２３と、通信線ＴＬ２４とを含む。処理部１４は、たとえば、基板ＢＰ２に実装され、車載装置２における電源ＰＳから電力の供給を受ける。
【００５４】
なお、第２のコネクタ１０２は、車載装置２における電源ＰＳから電力の供給を受けず、独自の電源を含む構成であってもよい。
【００５５】
第２のコネクタ１０２は、たとえば第１のコネクタ１０１に対して着脱可能である。第１のコネクタ１０１および第２のコネクタ１０２が接続された接続状態において、電力線ＰＬ１１と電力線ＰＬ２１とが接続され、通信線ＴＬ１２と通信線ＴＬ２２とが接続され、通信線ＴＬ１３と通信線ＴＬ２３とがスイッチ１３を介して接続され、通信線ＴＬ１４と通信線ＴＬ２４とが接続される。
【００５６】
なお、接続状態とは、第１のコネクタ１０１および第２のコネクタ１０２が機械的に接続された状態であり、たとえば、第１のコネクタ１０１および第２のコネクタ１０２が嵌合した状態である。
【００５７】
また、接続状態になると、第１のコネクタ１０１の動作に関する電力が、第２のコネクタ１０２から供給される。たとえば、検証部１１、制御部１２およびスイッチ１３は、車載装置２における電源ＰＳまたは第２のコネクタ１０２における図示しない電源から、電力線ＰＬ２１および電力線ＰＬ１１を介して電力の供給を受けて動作を開始する。スイッチ１３は、第１のコネクタ１０１および第２のコネクタ１０２が接続されていない状態、ならびに自己の第１のコネクタ１０１の動作開始時においてオフ状態である。
【００５８】
なお、検証部１１、制御部１２およびスイッチ１３のうちの少なくともいずれか１つが、第２のコネクタ１０２以外から電力の供給を受けて動作してもよい。
【００５９】
第１のコネクタ１０１における検証部１１は、自己の第１のコネクタ１０１の接続相手を検証する検証処理を行い、検証結果を示す結果情報Ａ１を制御部１２へ出力する。検証部１１による検証処理の詳細については、後述する。
【００６０】
制御部１２は、検証部１１から出力された結果情報Ａ１を受けて、当該結果情報Ａ１に基づいてスイッチ１３を制御する。
【００６１】
スイッチ１３は、接続状態において、制御部１２による制御に従って、通信線ＴＬ１３および通信線ＴＬ２３を電気的に接続するか否かを切り替える。
【００６２】
より詳細には、制御部１２は、検証部１１から受けた結果情報Ａ１が自己の第１のコネクタ１０１の接続相手の検証成功を示す場合、すなわち第１のコネクタ１０１の接続相手が第２のコネクタ１０２である場合、スイッチ１３をオン状態に切り替える。これにより、通信線ＴＬ１３および通信線ＴＬ２３が電気的に接続されるため、車載装置２は、通信線ＴＬ２３および通信線ＴＬ１３を介してワイヤハーネス１とＥＣＵ情報を送受信することができる。
【００６３】
一方、制御部１２は、検証部１１から受けた結果情報Ａ１が自己の第１のコネクタ１０１の接続相手の検証失敗を示す場合、すなわち第１のコネクタ１０１の接続相手が第２のコネクタ１０２とは異なる場合、スイッチ１３のオフ状態を維持する。これにより、ワイヤハーネス１と意図しない機器との間で通信が行われることを防ぎ、セキュリティを向上させることができる。
【００６４】
また、たとえば第２のコネクタ１０２が第１のコネクタ１０１から取り外されると、第１のコネクタ１０１に電力が供給されず、スイッチ１３はオン状態からオフ状態へ切り替わる。
【００６５】
なお、通信線ＴＬ１３、通信線ＴＬ２３、通信線ＴＬ１４および通信線ＴＬ２４は、デジタル信号を伝送する通信線であってもよいし、アナログ信号を伝送する通信線であってもよいし、何らかの電力を伝送する電力線であってもよい。
【００６６】
（検証処理の詳細）
第１のコネクタ１０１における検証部１１は、検証処理として、たとえばデジタル署名を用いた認証処理を行う。
【００６７】
より詳細には、第２のコネクタ１０２における処理部１４は、たとえば、第１のコネクタ１０１および第２のコネクタ１０２の接続を検出すると、検証に係る情報（以下、「検証用情報」とも称する。）を送信する情報送信処理を行う。
【００６８】
具体的には、処理部１４は、検証用情報として、公開鍵ＰＫおよび秘密鍵ＳＫを作成する。また、処理部１４は、作成した公開鍵ＰＫを通信線ＴＬ２２および通信線ＴＬ１２を介して第１のコネクタ１０１へ送信することにより、乱数Ｒを要求する。
【００６９】
なお、処理部１４は、公開鍵ＰＫおよび秘密鍵ＳＫを作成する構成に限らない。たとえば、処理部１４は、公開鍵ＰＫおよび秘密鍵ＳＫの少なくともいずれか一方を予め保持してもよい。
【００７０】
第１のコネクタ１０１における検証部１１は、第２のコネクタ１０２から送信された公開鍵ＰＫを通信線ＴＬ２２および通信線ＴＬ１２を介して受信して、乱数Ｒを作成する。そして、検証部１１は、作成した乱数Ｒを通信線ＴＬ１２および通信線ＴＬ２２を介して第２のコネクタ１０２へ送信する。
【００７１】
第２のコネクタ１０２における処理部１４は、第１のコネクタ１０１から送信された乱数Ｒを通信線ＴＬ１２および通信線ＴＬ２２を介して受信して、作成した秘密鍵ＳＫおよび受信した乱数Ｒを用いて、暗号化したデジタル署名Ｓを検証用情報として作成する。そして、処理部１４は、作成したデジタル署名Ｓを通信線ＴＬ２２および通信線ＴＬ１２を介して第１のコネクタ１０１へ送信する。
【００７２】
検証部１１は、第２のコネクタ１０２から送信されたデジタル署名Ｓを通信線ＴＬ２２および通信線ＴＬ１２を介して受信して、公開鍵ＰＫを用いて当該デジタル署名Ｓを復号化する。そして、検証部１１は、復号化したデジタル署名Ｓおよび乱数Ｒを用いて第２のコネクタ１０２の検証処理を行い、検証処理の結果を示す結果情報Ａ１を制御部１２へ出力する。
【００７３】
なお、検証部１１は、上述の方法に限らず、ＥＣＤＳＡ（Ｅｌｌｉｐｔｉｃ  Ｃｕｒｖｅ  Ｄｉｇｉｔａｌ  Ｓｉｇｎａｔｕｒｅ  Ａｌｇｏｒｉｔｈｍ）などの楕円曲線暗号、ＲＳＡ（Ｒｉｖｅｓｔ  Ｓｈａｍｉｒ  Ａｄｌｅｍａｎ  ｃｒｙｐｔｏｓｙｓｔｅｍ）、ＤＳＡ（Ｄｉｇｉｔａｌ  Ｓｉｇｎａｔｕｒｅ  Ａｌｇｏｒｉｔｈｍ）、または、ＩＤ（Ｉｄｅｎｔｉｆｉｃａｔｉｏｎ）およびパスワードによる検証処理を用いてもよい。
【００７４】
検証部１１は、楕円曲線暗号を用いた検証処理を行う場合、２５６ビット以上のビット長を有する乱数Ｒを作成することが好ましい。
【００７５】
また、検証部１１は、第１のコネクタ１０１および第２のコネクタ１０２が接続状態になると、検証処理を開始する構成であってもよい。たとえば、検証部１１は、接続状態になり、第２のコネクタ１０２から電力の供給を受けて動作を開始すると、検証用情報の送信を要求する要求情報を、通信線ＴＬ１２および通信線ＴＬ２２を介して第２のコネクタ１０２へ送信することにより、検証処理を開始する。
【００７６】
この場合、第２のコネクタ１０２における処理部１４は、第１のコネクタ１０１から要求情報を受信して、情報送信処理を開始する。
【００７７】
また、検証部１１は、接続状態となったタイミング、すなわち動作を開始したタイミングから所定時間以上、第２のコネクタ１０２から送信される検証用情報を受信できない場合、検証失敗を示す結果情報Ａ１を制御部１２へ出力する構成であってもよい。制御部１２は、検証失敗を示す結果情報Ａ１を検証部１１から受けると、スイッチ１３のオフ状態を維持する。
【００７８】
また、第１のコネクタ１０１側に電源が設けられてもよい。すなわち、第１のコネクタ１０１は、電源を有する構成、またはワイヤハーネス１側の電源から電力の供給を受ける構成であってもよい。この場合、第２のコネクタ１０２は、自己が接続された車載装置２における電源、または第１のコネクタ１０１側における電源から電力の供給を受ける。
【００７９】
また、第１のコネクタ１０１における検証部１１は、定期的または不定期に検証処理を行ってもよい。
【００８０】
具体的には、第２のコネクタ１０２における処理部１４は、たとえば、作成したデジタル署名Ｓを所定時間の間隔で通信線ＴＬ２２および通信線ＴＬ１２を介して第１のコネクタ１０１へ送信する。
【００８１】
第１のコネクタ１０１における検証部１１は、検証処理を定期的または不定期に行い、前回のデジタル署名Ｓを受信したタイミングから所定時間以内に新たなデジタル署名Ｓを受信できない場合、または新たに受信したデジタル署名Ｓの送信元の検証に失敗した場合、検証失敗を示す結果情報Ａ１を制御部１２へ出力する。
【００８２】
制御部１２は、検証部１１による新たな検証処理の結果に基づいて、スイッチ１３をオフするか否かを判断する。すなわち、制御部１２は、検証失敗を示す結果情報Ａ１を検証部１１から受けると、スイッチ１３をオフすると判断し、スイッチ１３をオン状態からオフ状態へ切り替える。
【００８３】
このような構成により、たとえば、自己の第１のコネクタ１０１からの第２のコネクタ１０２の取り外し、または自己の第１のコネクタ１０１への第２のコネクタ１０２以外の他の機器の接続を検出し、スイッチ１３の制御を適切に行うことができる。
【００８４】
また、第１のコネクタ１０１および第２のコネクタ１０２は、無線通信、すなわち非接触通信を行う構成であってもよい。しかしながら、車両内に搭載される機器の数は多いことから、第１のコネクタ１０１および第２のコネクタ１０２は、ノイズの影響を低減させるため、有線により検証用情報などの送受信を行う構成であることが好ましい。
【００８５】
また、第１のコネクタ１０１および第２のコネクタ１０２の各々は、接続状態においてスイッチ１３を介さずに互いに電気的に接続される通信線ＴＬ１４および通信線ＴＬ２４を含まない構成であってもよい。
【００８６】
また、第１のコネクタ１０１および第２のコネクタ１０２の各々は、接続状態においてスイッチ１３を介する伝送線を複数含む構成であってもよい。
【００８７】
また、コネクタシステム２０１は、たとえば、第１のコネクタ１０１および第２のコネクタ１０２の各々が電源を含む場合、電力線ＰＬ１１および電力線ＰＬ２１を含まなくてもよい。また、コネクタシステム２０１は、たとえば、第１のコネクタ１０１および第２のコネクタ１０２が無線通信を行う場合、通信線ＴＬ１２および通信線ＴＬ２２を含まなくてもよい。
【００８８】
また、スイッチ１３は、第１のコネクタ１０１および第２のコネクタ１０２が接続されていない状態において、オン状態であってもよい。この場合、制御部１２は、たとえば第１のコネクタ１０１および第２のコネクタ１０２が接続状態になると、スイッチ１３をオン状態からオフ状態に切り替える。
【００８９】
また、第１のコネクタ１０１および第２のコネクタ１０２は、車両以外に設けられてもよい。たとえば、第２のコネクタ１０２は、車載装置２に接続される代わりに、機器の保守などを行う端末等の装置に接続されてもよい。
【００９０】
＜動作の流れ＞
コネクタシステム２０１における各装置は、コンピュータを備え、当該コンピュータにおけるＣＰＵ等の演算処理部は、以下のシーケンス図の各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【００９１】
図３は、本発明の第１の実施の形態に係るコネクタシステムの動作手順を定めたシーケンス図である。
【００９２】
図２および図３を参照して、まず、第２のコネクタ１０２は、たとえば、第１のコネクタ１０１に接続される（ステップＳ１１）。
【００９３】
次に、第１のコネクタ１０１は、たとえば、第２のコネクタ１０２が接続されている車載装置２における電源ＰＳから、第２のコネクタ１０２を介して電力の供給を受ける（ステップＳ１２）。
【００９４】
次に、第２のコネクタ１０２における処理部１４は、公開鍵ＰＫおよび秘密鍵ＳＫを作成し、作成した公開鍵ＰＫを通信線ＴＬ２２および通信線ＴＬ１２を介して第１のコネクタ１０１へ送信する情報送信処理を行う（ステップＳ１３）。
【００９５】
次に、第１のコネクタ１０１における検証部１１は、第２のコネクタ１０２から送信された公開鍵ＰＫを受信して、乱数Ｒを作成する（ステップＳ１４）。
【００９６】
次に、検証部１１は、作成した乱数Ｒを通信線ＴＬ１２および通信線ＴＬ２２を介して第２のコネクタ１０２へ送信する（ステップＳ１５）。
【００９７】
次に、第２のコネクタ１０２における処理部１４は、第１のコネクタ１０１から通信線ＴＬ１２および通信線ＴＬ２２を介して乱数Ｒを受信して、作成した秘密鍵ＳＫおよび受信した乱数Ｒを用いて、暗号化したデジタル署名Ｓを作成する（ステップＳ１６）。
【００９８】
次に、処理部１４は、作成したデジタル署名Ｓを通信線ＴＬ２２および通信線ＴＬ１２を介して第１のコネクタ１０１へ送信する情報送信処理を行う（ステップＳ１７）。
【００９９】
次に、第１のコネクタ１０１における検証部１１は、第２のコネクタ１０２から通信線ＴＬ２２および通信線ＴＬ１２を介してデジタル署名Ｓを受信して、公開鍵ＰＫを用いて当該デジタル署名Ｓを復号化する。そして、検証部１１は、復号化したデジタル署名Ｓおよび乱数Ｒを用いて第２のコネクタ１０２の検証処理を行い、検証処理の結果を示す結果情報Ａ１を制御部１２へ出力する（ステップＳ１８）。
【０１００】
次に、制御部１２は、検証部１１から受けた結果情報Ａ１が自己の第１のコネクタ１０１の接続相手、すなわち第２のコネクタ１０２の検証成功を示す場合（ステップＳ１９において「ＹＥＳ」）、スイッチ１３をオン状態に切り替える（ステップＳ２０）。
【０１０１】
次に、第１のコネクタ１０１および第２のコネクタ１０２は、車載装置２からワイヤハーネス１へ送信されるＥＣＵ情報を中継する（ステップＳ２１）。
【０１０２】
次に、第２のコネクタ１０２が第１のコネクタ１０１から取り外されると（ステップＳ２２）、第１のコネクタ１０１への電力の供給が停止し、スイッチ１３はオフ状態に切り替わる（ステップＳ２３およびＳ２４）。
【０１０３】
一方、制御部１２は、検証部１１から受けた結果情報Ａ１が自己の第１のコネクタ１０１の接続相手の検証失敗を示す場合（ステップＳ１９において「ＮＯ」）、スイッチ１３のオフ状態を維持する（ステップＳ２４）。
【０１０４】
なお、スイッチ１３は、第２のコネクタ１０２が第１のコネクタ１０１から取り外された場合（ステップＳ２２）、オフ状態に切り替わらなくてもよい。この場合、制御部１２は、たとえば、第２のコネクタ１０２から電力の供給を受けると（ステップＳ１２）、スイッチ１３をオン状態からオフ状態に切り替える。
【０１０５】
また、第１のコネクタ１０１からの第２のコネクタ１０２の取り外し（ステップＳ２２）は、第１のコネクタ１０１および第２のコネクタ１０２によるＥＣＵ情報の中継（ステップＳ２１）の後に限らず、ステップＳ１１以降のいずれのタイミングで行われてもよい。
【０１０６】
第２のコネクタ１０２が取り外されたタイミングにおいてスイッチ１３がオフ状態である場合、すなわちステップＳ２０より前に第２のコネクタ１０２が取り外された場合、スイッチ１３はオフ状態を維持する。一方、第２のコネクタ１０２が取り外されたタイミングにおいてスイッチ１３がオン状態である場合、すなわちステップＳ２０以降に第２のコネクタ１０２が取り外された場合、スイッチ１３はオン状態からオフ状態に切り替わる（ステップＳ２３）。
【０１０７】
ところで、たとえば特許文献１に記載のコネクタを介して機器同士を接続した場合、機器間で互いに通信を行うことが可能である。その一方で、機器間の通信のセキュリティを十分に確保することが困難である。
【０１０８】
そこで、機器間におけるセキュリティを確保するために、たとえば、機器同士の接続部分を鍵付きのカバーで物理的に覆うなどの方法が考えられる。しかしながら、機器同士の接続または接続解除を行うたびに鍵の開閉を行う必要があり、手間を要する。
【０１０９】
また、各機器において暗号化された信号を送信するという方法が考えられる。しかしながら、暗号化機能を有していない機器から送信される通信信号に対しては、セキュリティを確保することが困難である。また、機器から送信される通信信号が微弱なアナログ信号である場合など、通信信号の暗号化を容易に行うことができない場合がある。
【０１１０】
これに対して、本発明の第１の実施の形態に係るコネクタシステム２０１では、第１のコネクタ１０１は、通信線ＴＬ１３を含む。第２のコネクタ１０２は、通信線ＴＬ２３を含む。第２のコネクタ１０２における処理部１４は、検証用情報を作成して第１のコネクタ１０１へ送信する情報送信処理を行う。第１のコネクタ１０１におけるスイッチ１３は、第１のコネクタ１０１および第２のコネクタ１０２の接続状態において、通信線ＴＬ１３および通信線ＴＬ２３を電気的に接続するか否かを切り替える。第１のコネクタ１０１における検証部１１は、第２のコネクタ１０２から受信した検証用情報に基づいて第２のコネクタ１０２を検証する検証処理を行う。そして、第１のコネクタ１０１における制御部１２は、検証部１１による検証処理の結果に基づいてスイッチ１３を制御する。
【０１１１】
このように、第１のコネクタ１０１による検証処理の結果に基づいて通信線ＴＬ１３および通信線ＴＬ２３の電気的接続を切り替える構成により、ワイヤハーネス１と意図しない機器との通信を防ぎ、セキュリティを確保することができる。
【０１１２】
したがって、本発明の第１の実施の形態に係るコネクタシステム２０１では、機器同士の電気的な接続をより適切に制御することができる。
【０１１３】
また、本発明の第１の実施の形態に係るコネクタシステム２０１では、第１のコネクタ１０１および第２のコネクタ１０２の各々は、第１のコネクタ１０１および第２のコネクタ１０２の接続状態においてスイッチ１３を介さずに互いに電気的に接続される他の伝送線を含む。
【０１１４】
このような構成により、セキュリティ確保のための伝送線と、セキュリティ確保が不要な伝送線とを設けることができるため、より多様な機器間の接続形態を提供することができる。
【０１１５】
また、本発明の第１の実施の形態に係るコネクタシステム２０１では、第１のコネクタ１０１の動作に関する電力は、第２のコネクタ１０２から供給される。
【０１１６】
このような構成により、第１のコネクタ１０１が電源を含まない構成であっても、第２のコネクタ１０２からの電力供給を受けて検証処理などの動作を行うことができる。
【０１１７】
また、本発明の第１の実施の形態に係るコネクタシステム２０１では、検証部１１は、第１のコネクタ１０１および第２のコネクタ１０２が接続状態になると、すなわち第２のコネクタ１０２から電力が供給されるとすぐに、検証処理を開始する。
【０１１８】
このように、第１のコネクタ１０１が主体的に検証処理を開始する構成により、第２のコネクタ１０２による情報送信処理をより早期に行わせることができる。
【０１１９】
また、本発明の第１の実施の形態に係るコネクタシステム２０１では、処理部１４は、第１のコネクタ１０１からの検証用情報の要求を受けて、情報送信処理を開始する。
【０１２０】
このような構成により、たとえば第２のコネクタ１０２において第１のコネクタ１０１に対する接続を検出しない場合であっても、第２のコネクタ１０２から検証用情報を送信させて検証処理を行うことができる。
【０１２１】
また、本発明の第１の実施の形態に係るコネクタシステム２０１では、検証部１１は、定期的または不定期に検証処理を行う。そして、制御部１２は、検証部１１による検証処理の結果に基づいてスイッチ１３をオンした後、新たな検証処理の結果に基づいて、スイッチ１３をオフするか否かを判断する。
【０１２２】
このような構成により、たとえば、第２のコネクタ１０２の検証処理が成功した後、新たな検証処理により第１のコネクタ１０１から第２のコネクタ１０２が取り外されたことを検出することができるため、接続状態の変化に応じたスイッチ１３の制御を行うことができる。
【０１２３】
また、本発明の第１の実施の形態に係るコネクタシステム２０１では、スイッチ１３は、第１のコネクタ１０１および第２のコネクタ１０２が接続されていない状態においてオフ状態である。検証部１１は、所定時間以上、検証用情報を受信できない場合、検証失敗を制御部１２へ通知する。制御部１２は、検証失敗の通知を検証部１１から受けた場合、スイッチ１３のオフ状態を維持する。
【０１２４】
このような構成により、たとえば、第１のコネクタ１０１と接続したタイミングから所定時間以上、検証用情報の送信を行わない機器と、第１のコネクタ１０１との通信を防ぐことができるため、より確実にセキュリティを確保することができる。
【０１２５】
また、たとえば、前回のデジタル署名Ｓの送信タイミングから所定時間以上、新たなデジタル署名Ｓの送信を行わない機器と、第１のコネクタ１０１との通信を防ぐことができるため、より確実にセキュリティを確保することができる。
【０１２６】
また、本発明の第１の実施の形態に係るコネクタシステム２０１では、検証部１１は、検証処理において、検証用情報を有線により処理部１４から受信する。
【０１２７】
このような構成により、近接したエリアに複数のコネクタが存在しても、意図しない接続、および正しい通信が阻害されることを防ぐことができる。また、近接したエリアにおいて、第１のコネクタ１０１および第２のコネクタ１０２間における接続方式と同様の方式を採用している多数のコネクタが存在しても、適切な接続を行うことができる。
【０１２８】
また、第１のコネクタ１０１および第２のコネクタ１０２がノイズの影響を受けやすい環境に設けられた場合であっても、ノイズの影響を低減させることができる。
【０１２９】
また、本発明の第１の実施の形態に係るコネクタシステム２０１では、第１のコネクタ１０１および第２のコネクタ１０２は、車両に搭載される。
【０１３０】
このような構成により、近接したエリアに複数のコネクタが存在しても、正常に動作することができる。また、機器が多く、ノイズの大きい環境において、ノイズの影響を低減させることができる。
【０１３１】
また、本発明の第１の実施の形態に係る第１のコネクタ１０１では、スイッチ１３は、自己の第１のコネクタ１０１および第２のコネクタ１０２の接続状態において、第１のコネクタ１０１における通信線ＴＬ１３および第２のコネクタ１０２における通信線ＴＬ２３を電気的に接続するか否かを切り替える。検証部１１は、自己の第１のコネクタ１０１の接続相手を検証する検証処理を行う。そして、制御部１２は、検証部１１による検証処理の結果に基づいて、スイッチ１３を制御する。
【０１３２】
このように、第１のコネクタ１０１による検証処理の結果に基づいて通信線ＴＬ１３および通信線ＴＬ２３の電気的接続を切り替える構成により、ワイヤハーネス１と意図しない機器との通信を防ぎ、セキュリティを確保することができる。
【０１３３】
したがって、本発明の第１の実施の形態に係る第１のコネクタ１０１では、機器同士の電気的な接続をより適切に制御することができる。
【０１３４】
また、本発明の第１の実施の形態に係る第１のコネクタ１０１は、車両に搭載される。
【０１３５】
このような構成により、近接したエリアに複数のコネクタが存在しても、意図しない接続、および正しい通信が阻害されることを防ぐことができる。また、近接したエリアにおいて、第１のコネクタ１０１および第２のコネクタ１０２間における接続方式と同様の方式を採用している多数のコネクタが存在しても、適切な接続を行うことができる。
【０１３６】
また、機器が多く、ノイズの大きい環境において、機器同士の電気的な接続をより適切に制御することができる。
【０１３７】
また、本発明の第１の実施の形態に係る第２のコネクタ１０２は、通信線ＴＬ１３を含む第１のコネクタ１０１に接続可能なコネクタであって、検証用情報を作成して第１のコネクタ１０１へ送信する処理部１４と、通信線ＴＬ２１とを含む。第１のコネクタ１０１におけるスイッチ１３は、第２のコネクタ１０２が接続された状態において、通信線ＴＬ１３および通信線ＴＬ２１を電気的に接続するか否かを切り替える。第１のコネクタ１０１における検証部１１は、検証用情報に基づいて第２のコネクタ１０２を検証する検証処理を行う。第１のコネクタ１０１における制御部１２は、検証処理の結果に基づいてスイッチ１３を制御する。
【０１３８】
このような構成により、第１のコネクタ１０１において、第２のコネクタ１０２から送信された検証用情報を用いて第２のコネクタ１０２の検証処理を行い、検証処理の結果に基づいて通信線ＴＬ１３および通信線ＴＬ２３の電気的接続を切り替えることができる。これにより、ワイヤハーネス１と意図しない機器との通信を防ぎ、セキュリティを確保することができる。
【０１３９】
したがって、本発明の第１の実施の形態に係る第２のコネクタ１０２では、機器同士の電気的な接続をより適切に制御することができる。
【０１４０】
また、本発明の第１の実施の形態に係る接続方法では、まず、第２のコネクタ１０２における処理部１４が、検証用情報を作成して第１のコネクタ１０１へ送信する情報送信処理を行う。次に、第１のコネクタ１０１における検証部１１が、第２のコネクタ１０２から受信した検証用情報に基づいて第２のコネクタ１０２を検証する検証処理を行う。次に、第１のコネクタ１０１における制御部１２が、検証処理の結果に基づいてスイッチ１３を制御する。
【０１４１】
このように、第１のコネクタ１０１による検証処理の結果に基づいて通信線ＴＬ１３および通信線ＴＬ２３の電気的接続を切り替える方法により、ワイヤハーネス１と意図しない機器との通信を防ぎ、セキュリティを確保することができる。
【０１４２】
したがって、本発明の第１の実施の形態に係る接続方法では、機器同士の電気的な接続をより適切に制御することができる。
【０１４３】
次に、本発明の他の実施の形態について図面を用いて説明する。なお、図中同一または相当部分には同一符号を付してその説明は繰り返さない。
【０１４４】
＜第２の実施の形態＞
上述した本発明の第１の実施の形態に係るコネクタシステム２０１では、第１のコネクタ１０１が、自己の接続相手の検証処理を行う。これに対して、本発明の第２の実施の形態に係るコネクタシステム２０２では、第１のコネクタ１１１および第２のコネクタ１１２が互いの検証処理を行う。
【０１４５】
図４は、本発明の第２の実施の形態に係るコネクタシステムの適用例を示す図である。
【０１４６】
図４を参照して、コネクタシステム２０２では、第１のコネクタ１１１および第２のコネクタ１１２は、たとえば、車両以外に設けられた、互いに信号の送受信を行う通信装置に接続されている。たとえば、第１のコネクタ１１１は通信装置３に接続され、第２のコネクタ１１２は通信装置４に接続されている。
【０１４７】
通信装置３および通信装置４は、互いに電気的に接続された状態において、第２のコネクタ１１２および第１のコネクタ１１１を介して通信信号の送受信を行う。
【０１４８】
図５は、本発明の第２の実施の形態に係るコネクタシステムの構成を示す図である。
【０１４９】
図５を参照して、第１のコネクタ１１１は、検証部３１と、制御部３２と、スイッチ３３と、処理部３４と、電力線ＰＬ３１と、通信線ＴＬ３２と、通信線ＴＬ３３と、通信線（第１の伝送線）ＴＬ３４とを含む。検証部３１、制御部３２、スイッチ３３および処理部３４は、たとえば基板ＢＰ３に実装されている。検証部３１、制御部３２およびスイッチ３３の構成および動作は、それぞれ、以下で示す内容を除き、図２に示す検証部１１、制御部１２およびスイッチ１３の構成および動作と同様である。
【０１５０】
第２のコネクタ１１２は、処理部３５と、検証部３６と、制御部３７と、スイッチ３８と、電力線ＰＬ４１と、通信線ＴＬ４２と、通信線ＴＬ４３と、通信線（第２の伝送線）ＴＬ４４とを含む。処理部３５、検証部３６、制御部３７およびスイッチ３８は、たとえば基板ＢＰ４に実装されている。処理部３５の構成および動作は、以下で示す内容を除き、図２に示す処理部１４の構成および動作と同様である。スイッチ３８は、第１のコネクタ１１１および第２のコネクタ１１２が接続されていない状態、ならびに自己の第２のコネクタ１１２の動作開始時においてオフ状態である。
【０１５１】
第２のコネクタ１１２は、たとえば第１のコネクタ１１１に対して着脱可能である。第１のコネクタ１１１および第２のコネクタ１１２が接続された接続状態において、通信線ＴＬ３２と通信線ＴＬ４２とが接続され、通信線ＴＬ３３と通信線ＴＬ４３とが接続され、通信線ＴＬ３４と通信線ＴＬ４４とがスイッチ３３およびスイッチ３８を介して接続される。
【０１５２】
なお、通信線ＴＬ３４および通信線ＴＬ４４は、デジタル信号を伝送する通信線であってもよいし、アナログ信号を伝送する通信線であってもよいし、何らかの電力を伝送する電力線であってもよい。
【０１５３】
第１のコネクタ１１１および第２のコネクタ１１２は、たとえば、互いに自己の接続相手の検証処理を行う。
【０１５４】
より詳細には、第２のコネクタ１１２における検証部３６は、たとえば自己の第２のコネクタ１１２に対する第１のコネクタ１１１の着脱を検出する。そして、検証部３６は、第１のコネクタ１１１が接続されたことを検出すると、検出結果を示す検出情報を処理部３５へ出力する。
【０１５５】
処理部３５は、第１のコネクタ１１１が接続された旨の検出情報を検証部３６から受けると、検証用情報を作成し、作成した検証用情報を通信線ＴＬ４３および通信線ＴＬ３３を介して第１のコネクタ１１１へ送信する。
【０１５６】
第１のコネクタ１１１における検証部３１は、図２に示す検証部１１と同様に、第２のコネクタ１１２から送信された検証用情報を通信線ＴＬ４３および通信線ＴＬ３３を介して受信し、受信した検証用情報に基づいて、自己の第１のコネクタ１１１の接続相手を検証する検証処理を行い、検証結果を示す結果情報Ａ１を制御部３２へ出力する。
【０１５７】
第１のコネクタ１１１における検証部３１は、たとえば自己の第１のコネクタ１１１に対する第２のコネクタ１１２の着脱を検出する。そして、検証部３１は、第２のコネクタ１１２が接続されたことを検出すると、検出結果を示す検出情報を処理部３４へ出力する。
【０１５８】
処理部３４は、第２のコネクタ１１２が接続された旨の検出情報を検証部３１から受けると、検証用情報を作成し、作成した検証用情報を通信線ＴＬ３２および通信線ＴＬ４２を介して第２のコネクタ１１２へ送信する。
【０１５９】
第２のコネクタ１１２における検証部３６は、第１のコネクタ１１１から送信された検証用情報を通信線ＴＬ３２および通信線ＴＬ４２を介して受信して、受信した検証用情報を用いて、第１のコネクタ１１１の検証処理を行う。そして、検証部３６は、検証処理の結果を示す結果情報Ａ２を制御部３７へ出力する。
【０１６０】
処理部３４による検証用情報、すなわち公開鍵ＰＫ、秘密鍵ＳＫおよびデジタル署名Ｓの作成、ならびに検証部３６による検証処理は、それぞれ、図２に示す処理部１４による検証用情報の作成、および検証部１１による検証処理と同様である。
【０１６１】
第１のコネクタ１１１における制御部３２は、検証部３１から出力された結果情報Ａ１を受ける。そして、制御部３２は、結果情報Ａ１が自己の第１のコネクタ１１１の接続相手の検証成功を示す場合、スイッチ３３をオン状態に切り替える。
【０１６２】
第２のコネクタ１１２における制御部３７は、検証部３６から出力された結果情報Ａ２を受ける。そして、制御部３７は、結果情報Ａ２が自己の第２のコネクタ１１２の接続相手の検証成功を示す場合、スイッチ３８をオン状態に切り替える。
【０１６３】
これにより、通信線ＴＬ３４および通信線ＴＬ４４が電気的に接続される。このため、通信装置３および通信装置４は、通信線ＴＬ３４および通信線ＴＬ４４を介して互いに通信信号の送受信を行うことができる。
【０１６４】
また、第１のコネクタ１１１における検証部３１は、たとえば、自己の第１のコネクタ１１１から第２のコネクタ１１２が取り外されたことを検出した場合、検出結果を示す検出情報を制御部３２へ出力する。制御部３２は、第２のコネクタ１１２が取り外された旨の検出情報を検証部３１から受けると、スイッチ３３をオン状態からオフ状態へ切り替える。
【０１６５】
また、第２のコネクタ１１２における検証部３６は、たとえば、自己の第２のコネクタ１１２から第１のコネクタ１１１が取り外されたことを検出した場合、検出結果を示す検出情報を制御部３７へ出力する。制御部３７は、第１のコネクタ１１１が取り外された旨の検出情報を検証部３６から受けると、スイッチ３８をオン状態からオフ状態へ切り替える。
【０１６６】
このように、第１のコネクタ１１１および第２のコネクタ１１２が互いに検証処理を行う構成により、通信装置３および通信装置４間におけるより高いセキュリティを確保することができる。
【０１６７】
なお、検証部３１は、検証処理を定期的または不定期に行う構成であってもよい。この場合、検証部３１は、たとえば前回のデジタル署名Ｓを受信したタイミングから所定時間以内に新たなデジタル署名Ｓを受信できたか否かを確認することにより、第２のコネクタ１１２の取り外しを検出することができる。検証部３１は、前回のデジタル署名Ｓを受信したタイミングから所定時間以内に新たなデジタル署名Ｓを受信できない場合、検証失敗を示す結果情報Ａ１を制御部３２へ出力する。
【０１６８】
また、検証部３６は、検証処理を定期的または不定期に行う構成であってもよい。この場合、検証部３６は、たとえば前回のデジタル署名Ｓを受信したタイミングから所定時間以内に新たなデジタル署名Ｓを受信できたか否かを確認することにより、第１のコネクタ１１１の取り外しを検出することができる。検証部３６は、前回のデジタル署名Ｓを受信したタイミングから所定時間以内に新たなデジタル署名Ｓを受信できない場合、検証失敗を示す結果情報Ａ２を制御部３７へ出力する。
【０１６９】
また、第１のコネクタ１１１および第２のコネクタ１１２は、車両に搭載されてもよい。
【０１７０】
＜動作の流れ＞
図６は、本発明の第２の実施の形態に係るコネクタシステムの動作手順を定めたシーケンス図である。
【０１７１】
図５および図６を参照して、まず、第２のコネクタ１１２は、たとえば、第１のコネクタ１１１に接続される（ステップＳ３１）。
【０１７２】
次に、第２のコネクタ１１２における処理部３５は、公開鍵ＰＫおよび秘密鍵ＳＫを作成し、作成した公開鍵ＰＫを通信線ＴＬ３３および通信線ＴＬ４３を介して第１のコネクタ１１１へ送信する情報送信処理を行う（ステップＳ３２）。
【０１７３】
次に、第１のコネクタ１１１における検証部３１は、第２のコネクタ１１２から送信された公開鍵ＰＫを受信して、乱数Ｒを作成する（ステップＳ３３）。
【０１７４】
次に、検証部３１は、作成した乱数Ｒを通信線ＴＬ３３および通信線ＴＬ４３を介して第２のコネクタ１１２へ送信する（ステップＳ３４）。
【０１７５】
次に、第２のコネクタ１１２における処理部３５は、第１のコネクタ１１１から乱数Ｒを受信して、作成した秘密鍵ＳＫおよび受信した乱数Ｒを用いて、暗号化したデジタル署名Ｓを作成する（ステップＳ３５）。
【０１７６】
次に、処理部３５は、作成したデジタル署名Ｓを通信線ＴＬ４３および通信線ＴＬ３３を介して第１のコネクタ１１１へ送信する情報送信処理を行う（ステップＳ３６）。
【０１７７】
次に、第１のコネクタ１１１における検証部３１は、第２のコネクタ１１２からデジタル署名Ｓを受信して、公開鍵ＰＫを用いて当該デジタル署名Ｓを復号化する。そして、検証部３１は、復号化したデジタル署名Ｓおよび乱数Ｒを用いて第２のコネクタ１１２の検証処理を行い、検証処理の結果を示す結果情報Ａ１を制御部３２へ出力する（ステップＳ３７）。
【０１７８】
次に、制御部３２は、結果情報Ａ１に基づいて、第２のコネクタ１１２の検証が成功したか否かを確認する（ステップＳ３８）。そして、制御部３２は、第２のコネクタ１１２の検証が成功した場合（ステップＳ３８において「ＹＥＳ」）、スイッチ３３をオン状態に切り替える（ステップＳ３９）。
【０１７９】
次に、第１のコネクタ１１１における処理部３４は、公開鍵ＰＫおよび秘密鍵ＳＫを作成し、作成した公開鍵ＰＫを通信線ＴＬ３２および通信線ＴＬ４２を介して第２のコネクタ１１２へ送信する情報送信処理を行う（ステップＳ４０）。
【０１８０】
次に、第２のコネクタ１１２における検証部３６は、第１のコネクタ１１１から送信された公開鍵ＰＫを受信して、乱数Ｒを作成する（ステップＳ４１）。
【０１８１】
次に、検証部３６は、作成した乱数Ｒを通信線ＴＬ４２および通信線ＴＬ３２を介して第１のコネクタ１１１へ送信する（ステップＳ４２）。
【０１８２】
次に、第１のコネクタ１１１における処理部３４は、第２のコネクタ１１２から乱数Ｒを受信して、作成した秘密鍵ＳＫおよび受信した乱数Ｒを用いて、暗号化したデジタル署名Ｓを作成する（ステップＳ４３）。
【０１８３】
次に、処理部３４は、作成したデジタル署名Ｓを通信線ＴＬ３２および通信線ＴＬ４２を介して第２のコネクタ１１２へ送信する情報送信処理を行う（ステップＳ４４）。
【０１８４】
次に、第２のコネクタ１１２における検証部３６は、第１のコネクタ１１１からデジタル署名Ｓを受信して、公開鍵ＰＫを用いて当該デジタル署名Ｓを復号化する。そして、検証部３６は、復号化したデジタル署名Ｓおよび乱数Ｒを用いて第１のコネクタ１１１の検証処理を行い、検証処理の結果を示す結果情報Ａ２を制御部３７へ出力する（ステップＳ４５）。
【０１８５】
次に、制御部３７は、結果情報Ａ２に基づいて、第１のコネクタ１１１の検証が成功したか否かを確認する（ステップＳ４６）。そして、制御部３７は、第１のコネクタ１１１の検証が成功した場合（ステップＳ４６において「ＹＥＳ」）、スイッチ３８をオン状態に切り替える（ステップＳ４７）。
【０１８６】
次に、第１のコネクタ１１１および第２のコネクタ１１２は、図４に示す通信装置３および通信装置４間において送受信される通信信号を中継する（ステップＳ４８）。
【０１８７】
次に、たとえば、第２のコネクタ１１２における検証部３６は、第１のコネクタ１１１が取り外されたことを検出し、検出結果を示す検出情報を制御部３７へ出力する（ステップＳ４９）。
【０１８８】
次に、制御部３７は、第２のコネクタ１１２が取り外された旨の検出情報を検証部３６から受けて、スイッチ３８をオン状態からオフ状態へ切り替える（ステップＳ５０およびＳ５１）。
【０１８９】
一方、第２のコネクタ１１２における制御部３７は、結果情報Ａ２に基づいて、第１のコネクタ１１１の検証が失敗した場合、すなわち第２のコネクタ１１２と、第１のコネクタ１１１以外の機器とが接続された場合（ステップＳ４６において「ＮＯ」）、スイッチ３８のオフ状態を維持する（ステップＳ５１）。
【０１９０】
次に、第１のコネクタ１１１における検証部３１は、第２のコネクタ１１２が取り外されたことを検出し、検出結果を示す検出情報を制御部３２へ出力する（ステップＳ５２）。
【０１９１】
次に、制御部３２は、第２のコネクタ１１２が取り外された旨の検出情報を検証部３１から受けて、スイッチ３３をオン状態からオフ状態へ切り替える（ステップＳ５３およびＳ５４）。
【０１９２】
一方、第１のコネクタ１１１における制御部３２は、結果情報Ａ１に基づいて、第２のコネクタ１１２の検証が失敗した場合、すなわち第１のコネクタ１１１と、第２のコネクタ１１２以外の機器とが接続された場合（ステップＳ３８において「ＮＯ」）、スイッチ３３のオフ状態を維持する（ステップＳ５４）。
【０１９３】
なお、第１のコネクタ１１１および第２のコネクタ１１２によるステップＳ３２〜Ｓ３９の動作は、第１のコネクタ１１１および第２のコネクタ１１２によるステップＳ４０〜Ｓ４７の動作の後に行われてもよい。また、第１のコネクタ１１１および第２のコネクタ１１２によるステップＳ３２〜Ｓ３９の動作、ならびに第１のコネクタ１１１および第２のコネクタ１１２によるステップＳ４０〜Ｓ４７の動作は、同時に行われてもよい。
【０１９４】
また、第１のコネクタ１１１と第２のコネクタ１１２との取り外し（ステップＳ４９，Ｓ５２）は、第１のコネクタ１１１および第２のコネクタ１１２による通信信号の中継（ステップＳ４８）の後に限らず、ステップＳ３１以降のいずれのタイミングで行われてもよい。
【０１９５】
第１のコネクタ１１１と第２のコネクタ１１２とが取り外されたタイミングにおいてスイッチ３３がオフ状態である場合、すなわちステップＳ３９より前に第１のコネクタ１１１と第２のコネクタ１１２とが取り外された場合、スイッチ３３はオフ状態を維持する。
【０１９６】
また、第１のコネクタ１１１と第２のコネクタ１１２とが取り外されたタイミングにおいてスイッチ３３がオン状態であり、スイッチ３８がオフ状態である場合、すなわちステップＳ３９以降であり、かつステップＳ４７より前に第１のコネクタ１１１と第２のコネクタ１１２とが取り外された場合、スイッチ３３はオン状態からオフ状態に切り替わり、スイッチ３８はオフ状態を維持する。
【０１９７】
また、第１のコネクタ１１１と第２のコネクタ１１２とが取り外されたタイミングにおいてスイッチ３３およびスイッチ３８の両方がオン状態である場合、すなわちステップＳ４７以降に第１のコネクタ１１１と第２のコネクタ１１２とが取り外された場合、スイッチ３３およびスイッチ３８の両方はオン状態からオフ状態に切り替わる（ステップＳ５３，５０）。
【０１９８】
上記のように、本発明の第２の実施の形態に係るコネクタシステム２０２では、第１のコネクタ１１１は、通信線ＴＬ３２，ＴＬ３３を含む。第２のコネクタ１１２は、通信線ＴＬ４２，ＴＬ４３を含む。第２のコネクタ１１２における処理部３５は、検証用情報を作成して第１のコネクタ１１１へ送信する情報送信処理を行う。第１のコネクタ１１１におけるスイッチ３３は、第１のコネクタ１１１および第２のコネクタ１１２の接続状態において、通信線ＴＬ３４および通信線ＴＬ４４を電気的に接続するか否かを切り替える。第１のコネクタ１１１における検証部３１は、第２のコネクタ１１２から受信した検証用情報に基づいて第２のコネクタ１１２を検証する検証処理を行う。そして、第１のコネクタ１１１における制御部３２は、検証部３１による検証処理の結果に基づいてスイッチ３３を制御する。
【０１９９】
さらに、第１のコネクタ１１１における処理部３４は、検証用情報を作成して第２のコネクタ１１２へ送信する情報送信処理を行う。第２のコネクタ１１２におけるスイッチ３８は、第１のコネクタ１１１および第２のコネクタ１１２の接続状態において、通信線ＴＬ３４および通信線ＴＬ４４を電気的に接続するか否かを切り替える。第２のコネクタ１１２における検証部３６は、第１のコネクタ１１１から受信した検証用情報に基づいて第１のコネクタ１１１を検証する検証処理を行う。そして、第２のコネクタ１１２における制御部３７は、検証部３６による検証処理の結果に基づいてスイッチ３８を制御する。
【０２００】
このように、第１のコネクタ１１１による検証処理の結果、および第２のコネクタ１１２による検証処理の結果に基づいて通信線ＴＬ３４および通信線ＴＬ４４の電気的接続を切り替える構成により、意図しない機器間における通信を防ぎ、セキュリティを確保することができる。
【０２０１】
したがって、本発明の第２の実施の形態に係るコネクタシステム２０２では、機器同士の電気的な接続をより適切に制御することができる。
【０２０２】
なお、第１のコネクタ１１１における通信線ＴＬ３２および通信線ＴＬ３３を１つの通信線で実現してもよい。また、第２のコネクタ１１２における通信線ＴＬ４２および通信線ＴＬ４３を１つの通信線で実現してもよい。
【０２０３】
その他の構成および動作は、上述した本発明の第１の実施の形態に係るコネクタシステム２０１と同様であるため、ここでは詳細な説明を繰り返さない。
【０２０４】
＜第３の実施の形態＞
本発明の第３の実施の形態に係るコネクタシステム２０３では、第１のコネクタ１３１および第２のコネクタ１３２は、電力線を介する電力の伝送を中継する。
【０２０５】
図７は、本発明の第３の実施の形態に係るコネクタシステムの適用例を示す図である。
【０２０６】
図７を参照して、第１のコネクタ１３１は、たとえば電気機器１６に接続されている。第２のコネクタ１３２は、たとえばコンセント１５に接続されている。電気機器１６は、コンセント１５と電気的に接続された状態において、第１のコネクタ１３１および第２のコネクタ１３２を介してコンセント１５側から供給される電力を受ける。
【０２０７】
図８は、本発明の第３の実施の形態に係るコネクタシステムの構成を示す図である。
【０２０８】
図８を参照して、第１のコネクタ１３１は、検証部７１と、制御部７２と、スイッチ７３と、電力線ＰＬ７１と、通信線ＴＬ７２と、電力線（第１の伝送線）ＰＬ７３と、電力線ＰＬ７４とを含む。検証部７１、制御部７２およびスイッチ７３は、たとえば基板ＢＰ７に実装されている。検証部７１、制御部７２およびスイッチ７３の構成および動作は、図２に示す検証部１１、制御部１２およびスイッチ１３の構成および動作と同様である。
【０２０９】
第２のコネクタ１３２は、処理部７４と、電力線ＰＬ８１と、通信線ＴＬ８２と、電力線（第２の伝送線）ＰＬ８３と、電力線ＰＬ８４とを含む。処理部７４は、たとえば、基板ＢＰ８に実装されている。処理部７４の構成および動作は、図２に示す処理部１４の構成および動作と同様である。
【０２１０】
すなわち、第１のコネクタ１３１における検証部７１は、第２のコネクタ１３２の検証処理を行い、検証結果を示す結果情報Ａ１を制御部７２へ出力する。制御部７２は、検証部７１から出力された結果情報Ａ１を受けて、当該結果情報Ａ１が第２のコネクタ１３２の検証成功を示す場合、スイッチ７３をオン状態に切り替える。
【０２１１】
これにより、電力線ＰＬ７３および電力線ＰＬ８３が電気的に接続される。このため、電気機器１６は、電力線ＰＬ８３および電力線ＰＬ７３を介してコンセント１５側から供給される電力を受けることができる。
【０２１２】
一方、制御部７２は、検証部７１から受けた結果情報Ａ１が自己の第１のコネクタ１３１の接続相手の検証失敗を示す場合、すなわち第１のコネクタ１３１の接続相手が第２のコネクタ１３２とは異なる機器である場合、スイッチ７３のオフ状態を維持する。
【０２１３】
なお、第２のコネクタ１３２から第１のコネクタ１３１へ供給される電力は、交流電力であってもよいし、直流電力であってもよい。第１のコネクタ１３１へ供給される電力が交流電力である場合、たとえば、第１のコネクタ１３１における図示しないＡＣ／ＤＣコンバータが、交流電力を直流電力に変換する。しかしながら、第１のコネクタ１３１がＡＣ／ＤＣコンバータを含む場合は第１のコネクタ１３１のサイズが大きくなるため、第１のコネクタ１３１へ供給される電力は直流電力であることが好ましい。
【０２１４】
上記のように、本発明の第３の実施の形態に係るコネクタシステム２０３では、第１のコネクタ１３１は、電力線ＰＬ７３を含む。第２のコネクタ１３２は、電力線ＰＬ８３を含む。第２のコネクタ１３２における処理部７４は、検証用情報を作成して第１のコネクタ１３１へ送信する情報送信処理を行う。第１のコネクタ１３１におけるスイッチ７３は、第１のコネクタ１３１および第２のコネクタ１３２の接続状態において、電力線ＰＬ７３および電力線ＰＬ８３を電気的に接続するか否かを切り替える。第１のコネクタ１３１における検証部７１は、第２のコネクタ１３２から受信した検証用情報に基づいて第２のコネクタ１３２を検証する検証処理を行う。そして、第１のコネクタ１３１における制御部７２は、検証部７１による検証処理の結果に基づいてスイッチ７３を制御する。
【０２１５】
このように、第１のコネクタ１３１による検証処理の結果に基づいて電力線ＰＬ７３および電力線ＰＬ８３の電気的接続を切り替える構成により、電力線ＰＬ７３および電力線ＰＬ８３が電力伝送を行う場合、意図しない機器への電力伝送が行われることを防ぐことができる。
【０２１６】
したがって、本発明の第３の実施の形態に係るコネクタシステム２０３では、機器同士の電気的な接続をより適切に制御することができる。
【０２１７】
その他の構成および動作は、上述した本発明の第１の実施の形態に係るコネクタシステム２０１と同様であるため、ここでは詳細な説明を繰り返さない。
【０２１８】
＜第４の実施の形態＞
本発明の第４の実施の形態に係るコネクタシステム２０４では、第１のコネクタ１２１および第２のコネクタ１２２は、コンセント５およびプラグ７にそれぞれ接続されて、電力線を介する電力の伝送を中継する。
【０２１９】
図９は、本発明の第４の実施の形態に係るコネクタシステムの適用例を示す図である。
【０２２０】
図９を参照して、本発明の第４の実施の形態に係るコネクタシステム２０４では、第１のコネクタ１２１は、たとえばコンセント５に接続されている。第２のコネクタ１２２は、たとえば電気機器６のプラグ７に接続されている。電気機器６は、コンセント５と電気的に接続された状態において、第１のコネクタ１２１および第２のコネクタ１２２を介してコンセント５側から供給される電力を受ける。
【０２２１】
図１０は、本発明の第４の実施の形態に係るコネクタシステムの構成を示す図である。
【０２２２】
図１０を参照して、第１のコネクタ１２１は、検証部５１と、制御部５２と、スイッチ５３と、電力線ＰＬ５１と、通信線ＴＬ５２と、電力線（第１の伝送線）ＰＬ５３とを含む。検証部５１、制御部５２およびスイッチ５３は、たとえば基板ＢＰ５に実装されている。検証部５１、制御部５２およびスイッチ５３の構成および動作は、それぞれ、以下で示す内容を除き、図２に示す検証部１１、制御部１２およびスイッチ１３の構成および動作と同様である。
【０２２３】
第２のコネクタ１２２は、処理部５４と、電力線ＰＬ６１と、通信線ＴＬ６２と、電力線（第２の伝送線）ＰＬ６３とを含む。処理部５４は、たとえば基板ＢＰ６に実装されている。処理部５４の構成および動作は、以下で示す内容を除き、図２に示す処理部１４の構成および動作と同様である。
【０２２４】
第２のコネクタ１２２は、たとえば第１のコネクタ１２１に対して着脱可能である。第１のコネクタ１２１および第２のコネクタ１２２が接続された接続状態において、電力線ＰＬ５１と電力線ＰＬ６１とが接続され、通信線ＴＬ５２と通信線ＴＬ６２とが接続され、電力線ＰＬ５３と電力線ＰＬ６３とがスイッチ５３を介して接続される。
【０２２５】
また、接続状態において、第２のコネクタ１２２における処理部５４は、たとえば、コンセント５側から第１のコネクタ１２１を介して供給される電力を用いて動作する。また、処理部５４は、検証用情報を作成し、作成した検証用情報を通信線ＴＬ６２および通信線ＴＬ５２経由で第１のコネクタ１２１へ送信する。
【０２２６】
第１のコネクタ１２１における検証部５１は、第２のコネクタ１２２から送信された検証用情報を通信線ＴＬ６２および通信線ＴＬ５２経由で受信し、受信した検証用情報に基づいて、第２のコネクタ１２２の検証処理を行う。そして、検証部５１は、検証結果を示す結果情報Ａ１を制御部５２へ出力する。検証部５１による検証処理は、図１に示す検証部１１による検証処理と同様である。
【０２２７】
制御部５２は、検証部５１から出力された結果情報Ａ１を受けて、当該結果情報Ａ１に基づいてスイッチ５３を制御する。
【０２２８】
より詳細には、制御部５２は、検証部５１から受けた結果情報Ａ１が自己の第１のコネクタ１２１の接続相手の検証成功を示す場合、すなわち第１のコネクタ１２１の接続相手が第２のコネクタ１２２である場合、スイッチ５３をオン状態に切り替える。これにより、電力線ＰＬ５３および電力線ＰＬ６３が電気的に接続される。このため、電気機器６は、電力線ＰＬ５３および電力線ＰＬ６３を介してコンセント５側から供給される電力を受けることができる。
【０２２９】
一方、制御部５２は、検証部５１から受けた結果情報Ａ１が自己の第１のコネクタ１２１の接続相手の検証失敗を示す場合、すなわち第１のコネクタ１２１の接続相手が第２のコネクタ１２２とは異なる機器である場合、スイッチ５３のオフ状態を維持する。これにより、コンセント５側から意図しない機器へ電力の供給が行われることを防ぐことができる。
【０２３０】
また、第１のコネクタ１２１における検証部５１は、たとえば、自己の第１のコネクタ１２１に対する第２のコネクタ１２２の着脱を検出する。検証部５１は、自己の第１のコネクタ１２１から取り外されたことを検出すると、検出結果を示す検出情報を制御部５２へ出力する。
【０２３１】
制御部５２は、第２のコネクタ１２２が取り外された旨の検出情報を検証部５１から受けると、スイッチ５３をオン状態からオフ状態へ切り替える。
【０２３２】
なお、検証部５１は、検証処理を定期的または不定期に行う構成であってもよい。この場合、検証部５１は、たとえば前回のデジタル署名Ｓを受信したタイミングから所定時間以内に新たなデジタル署名Ｓを受信できたか否かを確認することにより、第２のコネクタ１２２の取り外しを検出することができる。検証部５１は、前回のデジタル署名Ｓを受信したタイミングから所定時間以内に新たなデジタル署名Ｓを受信できない場合、検証失敗を示す結果情報Ａ１を制御部５２へ出力する。
【０２３３】
＜動作の流れ＞
図１１は、本発明の第４の実施の形態に係るコネクタシステムの動作手順を定めたシーケンス図である。
【０２３４】
図１０および図１１を参照して、まず、第２のコネクタ１２２は、たとえば、第１のコネクタ１２１に接続される（ステップＳ６１）。
【０２３５】
次に、第２のコネクタ１２２における処理部５４は、公開鍵ＰＫおよび秘密鍵ＳＫを作成し、作成した公開鍵ＰＫを通信線ＴＬ６２および通信線ＴＬ５２を介して第１のコネクタ１２１へ送信する情報送信処理を行う（ステップＳ６２）。
【０２３６】
次に、第１のコネクタ１２１における検証部５１は、第２のコネクタ１２２から公開鍵ＰＫを受信して、乱数Ｒを作成する（ステップＳ６３）。
【０２３７】
次に、検証部５１は、作成した乱数Ｒを通信線ＴＬ５２および通信線ＴＬ６２を介して第２のコネクタ１２２へ送信する（ステップＳ６４）。
【０２３８】
次に、第２のコネクタ１２２における処理部５４は、第１のコネクタ１２１から乱数Ｒを受信して、作成した秘密鍵ＳＫおよび受信した乱数Ｒを用いて、暗号化したデジタル署名Ｓを作成する（ステップＳ６５）。
【０２３９】
次に、処理部５４は、作成したデジタル署名Ｓを通信線ＴＬ６２および通信線ＴＬ５２を介して第１のコネクタ１２１へ送信する情報送信処理を行う（ステップＳ６６）。
【０２４０】
次に、第１のコネクタ１２１における検証部５１は、第２のコネクタ１２２からデジタル署名Ｓを受信して、公開鍵ＰＫを用いて当該デジタル署名Ｓを復号化する。そして、検証部５１は、復号化したデジタル署名Ｓおよび乱数Ｒを用いて第２のコネクタ１２２の検証処理を行い、検証処理の結果を示す結果情報Ａ１を制御部５２へ出力する（ステップＳ６７）。
【０２４１】
次に、制御部５２は、検証部５１から受けた結果情報Ａ１が自己の第１のコネクタ１２１の接続相手の検証成功を示す場合（ステップＳ６８において「ＹＥＳ」）、スイッチ５３をオン状態に切り替える（ステップＳ６９）。
【０２４２】
次に、第１のコネクタ１２１および第２のコネクタ１２２は、コンセント５側から電気機器６への電力伝送を中継する（ステップＳ７０）。
【０２４３】
次に、たとえば第２のコネクタ１２２が第１のコネクタ１２１から取り外されると（ステップＳ７１）、第１のコネクタ１２１における検証部５１は、第２のコネクタ１２２が取り外されたことを検出し、検出結果を示す検出情報を制御部５２へ出力する（ステップＳ７２）。
【０２４４】
次に、制御部５２は、第２のコネクタ１２２が取り外された旨の検出情報を検証部５１から受けて、スイッチ５３をオン状態からオフ状態へ切り替える（ステップＳ７３およびＳ７４）。
【０２４５】
一方、制御部５２は、検証部１１から受けた結果情報Ａ１が自己の第１のコネクタ１２１の接続相手の検証失敗を示す場合（ステップＳ６８において「ＮＯ」）、スイッチ５３のオフ状態を維持する（ステップＳ７４）。
【０２４６】
また、第１のコネクタ１２１からの第２のコネクタ１２２の取り外し（ステップＳ７１）は、第１のコネクタ１２１および第２のコネクタ１２２による電力伝送の中継（ステップＳ７０）の後に限らず、ステップＳ６１以降のいずれのタイミングで行われてもよい。
【０２４７】
第２のコネクタ１２２が取り外されたタイミングにおいてスイッチ５３がオフ状態である場合、すなわちステップＳ６９より前に第２のコネクタ１２２が取り外された場合、スイッチ５３はオフ状態を維持する。一方、第２のコネクタ１２２が取り外されたタイミングにおいてスイッチ５３がオン状態である場合、すなわちステップＳ６９以降に第２のコネクタ１２２が取り外された場合、スイッチ５３はオン状態からオフ状態に切り替わる（ステップＳ７３）。
【０２４８】
上記のように、本発明の第４の実施の形態に係るコネクタシステム２０４では、第１のコネクタ１２１は、電力線ＰＬ６３を含む。第２のコネクタ１２２は、電力線ＰＬ６３を含む。第２のコネクタ１２２における処理部５４は、検証用情報を作成して第１のコネクタ１２１へ送信する情報送信処理を行う。第１のコネクタ１２１におけるスイッチ５３は、第１のコネクタ１２１および第２のコネクタ１２２の接続状態において、電力線ＰＬ５３および電力線ＰＬ６３を電気的に接続するか否かを切り替える。第１のコネクタ１２１における検証部５１は、第２のコネクタ１２２から受信した検証用情報に基づいて第２のコネクタ１２２を検証する検証処理を行う。そして、第１のコネクタ１２１における制御部５２は、検証部５１による検証処理の結果に基づいてスイッチ５３を制御する。
【０２４９】
このように、第１のコネクタ１２１による検証処理の結果に基づいて電力線ＰＬ５３および電力線ＰＬ６３の電気的接続を切り替える構成により、電力線ＰＬ５３および電力線ＰＬ６３が電力伝送を行う場合、意図しない機器への電力伝送が行われることを防ぐことができる。
【０２５０】
したがって、本発明の第４の実施の形態に係るコネクタシステム２０４では、機器同士の電気的な接続をより適切に制御することができる。
【０２５１】
その他の構成および動作は、上述した本発明の第１の実施の形態に係るコネクタシステム２０１と同様であるため、ここでは詳細な説明を繰り返さない。
【０２５２】
なお、本発明の第１の実施の形態に係るコネクタシステム２０１、第２の実施の形態に係るコネクタシステム２０２、第３の実施の形態に係るコネクタシステム２０３および第４の実施の形態に係るコネクタシステム２０４の各々の特徴を適宜組み合わせることも可能である。
【０２５３】
上記実施の形態は、すべての点で例示であって制限的なものではないと考えられるべきである。本発明の範囲は、上記説明ではなく請求の範囲によって示され、請求の範囲と均等の意味および範囲内でのすべての変更が含まれることが意図される。
【０２５４】
以上の説明は、以下に付記する特徴を含む。
［付記１］
第１の伝送線を含む第１のコネクタと、
第２の伝送線を含む第２のコネクタとを備え、
前記第２のコネクタは、検証に係る情報を作成して前記第１のコネクタへ送信する情報送信処理を行う処理部を含み、
前記第１のコネクタは、
前記第１のコネクタおよび前記第２のコネクタが接続された状態において、前記第１の伝送線および前記第２の伝送線を電気的に接続するか否かを切り替えるスイッチと、
前記第２のコネクタから受信した前記情報に基づいて前記第２のコネクタを検証する検証処理を行う検証部と、
前記検証処理の結果に基づいて前記スイッチを制御する制御部とを含み、
前記第１の伝送線および第２の伝送線は、互いに異なる機器に接続され、機器間において伝送される通信信号または電力の中継が行われ、
前記検証部は、前記情報であるデジタル署名を用いた前記検証処理を行う、コネクタシステム。
【０２５５】
［付記２］
第１の伝送線を含むコネクタであって、
自己のコネクタ、および第２の伝送線を含む他のコネクタが接続された状態において、前記第１の伝送線および前記第２の伝送線を電気的に接続するか否かを切り替えるスイッチと、
自己のコネクタの接続相手を検証する検証処理を行う検証部と、
前記検証処理の結果に基づいて、前記スイッチを制御する制御部とを含み、
前記第１の伝送線および第２の伝送線は、互いに異なる機器に接続され、機器間において伝送される通信信号または電力の中継が行われ、
前記検証部は、デジタル署名を用いた前記検証処理を行う、コネクタ。
【０２５６】
［付記３］
第１の伝送線を含む相手コネクタに接続可能なコネクタであって、
検証に係る情報を作成して前記相手コネクタへ送信する処理部と、
第２の伝送線とを含み、
前記相手コネクタは、自己の前記相手コネクタおよび他のコネクタが接続された状態において、前記第１の伝送線および前記第２の伝送線を電気的に接続するか否かを切り替えるスイッチと、
前記情報に基づいて前記他のコネクタを検証する検証処理を行う検証部と、
前記検証処理の結果に基づいて前記スイッチを制御する制御部とを含み、
前記第１の伝送線および第２の伝送線は、互いに異なる機器に接続され、機器間において伝送される通信信号または電力の中継が行われ、
前記他のコネクタは、前記情報であるデジタル署名を用いて前記コネクタの検証処理を行う、コネクタ。
【符号の説明】
【０２５７】
１  ワイヤハーネス
２  車載装置
３，４  通信装置
５，１５  コンセント
６，１６  電気機器
７  プラグ
１１，３１，３６，５１，７１  検証部
１２，３２，３７，５２，７２  制御部
１３，３３，３８，５３，７３  スイッチ
１４，３４，３５，５４，７４  処理部
１０１，１１１，１２１，１３１  第１のコネクタ（相手コネクタ）
１０２，１１２，１２２，１３２  第２のコネクタ
２０１，２０２，２０３，２０４  コネクタシステム
【図１】
2019187349.tif 000003
【図２】
2019187349.tif 000004
【図３】
2019187349.tif 000005
【図４】
2019187349.tif 000006
【図５】
2019187349.tif 000007
【図６】
2019187349.tif 000008
【図７】
2019187349.tif 000009
【図８】
2019187349.tif 000010
【図９】
2019187349.tif 000011
【図１０】
2019187349.tif 000012
【図１１】
2019187349.tif 000013
【国際調査報告】
2019187349.tif 000014
2019187349.tif 000015
2019187349.tif 000016
2019187349.tif 000017